(57)【要約】【課題】再転写の際には冷時剥離でき、かつ再転写なしでカードを搬送する場合には、安定してカード搬送できる再転写印刷装置を提供する。【解決手段】フィルムに転写された画像を、搬送されるカードに再転写する再転写印刷装置であって、フィルムはヒートローラ１０１とカード搬送路との間を通り、かつ出口側搬送ローラ（上側）１０５−１とヒートローラ１０１との間を通るよう張架されており、再転写する場合には、フィルムはヒートローラ１０１によりカードに加熱・押圧された後、カードに圧着した状態で搬送され、出口側搬送ローラ１０５により挟持された後、剥離可能点においてフィルム巻き取りローラ１０８による巻き取りが開始されることでカードから冷時剥離されると、折り返されて出口側搬送ローラ１０５の間を通ってフィルム巻き取りローラ１０８に巻き取られることを特徴とする。【選択図】  図１
2004174945.tif 000002
【特許請求の範囲】
【請求項１】
画像が転写されたフィルムを、搬送される記録媒体に対してヒートローラで加熱しながら押圧することで、該記録媒体にフィルム上の画像を再転写する再転写印刷装置であって、
前記ヒートローラに対して、前記記録媒体の搬送方向出側に配され、前記記録媒体の表裏面を挟持して搬送する一対のローラと、
前記記録媒体の搬送路に対して、前記ヒートローラが配された側に位置し、前記フィルムを巻き取る巻取手段と、を備え、
前記フィルムは、前記ヒートローラと前記搬送路との間を通り、かつ前記一対のローラのうち該搬送路に対して前記ヒートローラが配された側に位置するローラと前記ヒートローラとの間を通るよう張架されており、
再転写する場合には、前記フィルムは、前記ヒートローラにより前記記録媒体に加熱しながら押圧された後、該記録媒体に圧着した状態で搬送され、前記一対のローラにより挟持された後、所定の位置において前記巻取手段により巻き取りが開始されることで前記記録媒体から冷時剥離されると、折り返されて前記一対のローラの間を通って該巻取手段に巻き取られることを特徴とする再転写印刷装置。
【請求項２】
再転写しない場合には、前記フィルムは前記ヒートローラにより押圧されず、前記記録媒体は、前記フィルムと接触することなく搬送可能であることを特徴とする請求項１に記載に再転写印刷装置。
【請求項３】
前記所定の位置とは、前記記録媒体に圧着した前記フィルムの、前記記録媒体に対する剥離可能位置であることを特徴とする請求項１に記載の再転写印刷装置。
【請求項４】
前記巻取手段は、前記フィルムが前記記録媒体から剥離される位置が一定範囲内になるように、巻き取り速度が制御されることを特徴とする請求項１に記載の再転写印刷装置。
【請求項５】
前記巻取手段は、前記搬送される記録媒体の搬送位置を検出するセンサからの出力に基づいて、前記フィルムの巻き取りを開始することを特徴とする請求項１に記載の再転写印刷装置。
【請求項６】
前記搬送路に対して前記ヒートローラが配された側に位置する前記搬送手段の一方のローラの幅は、前記フィルムの幅よりも大きいことを特徴とする請求項１に記載の再転写印刷装置。
【請求項７】
前記一対のローラのうち、前記搬送路に対して前記ヒートローラが配された側に位置するローラと前記ヒートローラとの間に、フィルムの巻き取り経路をガイドするフィルムガイドを更に備え、
前記フィルムは、前記フィルムガイドと前記ヒートローラとの間を通るように張架されていることを特徴とする請求項１乃至６のいずれかに記載の再転写印刷装置。
【発明の詳細な説明】
【０００１】
【発明の属する技術分野】
本発明は、印刷画像を一旦フィルム上に形成し、フィルムから記録媒体へこれを転写する再転写印刷装置に関するものである。
【０００２】
【従来の技術】
近年、セキュリティを高める目的で顔写真を入れたカードが発行されるようになってきている。一般にこのようなカードの発行にあたっては、高品位な印刷画像を得ることが可能な昇華型カードプリンタなどの再転写印刷装置が用いられている。以下、カード発行のための従来の昇華型カードプリンタの一例の概略構成とその動作を図７乃至図９を参照しながら説明する。
【０００３】
従来の昇華型カードプリンタは、プラテンローラ７０１にフィルム７０２を巻き付けインクリボン７０３を重畳させてサーマルヘッド７０４により加圧し熱エネルギーを付与してフィルム７０２に画像を形成する記録部７１０と、フィルム７０２の受像面とカード７０５とを対向させつつ、ヒートローラ７２１と加圧ローラ７２２の間で押圧及び加熱して、フィルム７０２に形成された画像をカード７０５に再転写する再転写部７２０と、フィルム供給ロール７３０及びフィルム巻き取りロール７４０、インクリボン供給ロール７５０及びインクリボン巻き取りロール７６０で構成されている。
【０００４】
図８（Ａ）に示すように、フィルム７０２には、画像を形成する先頭位置を決めるためのフレーム位置出しマーク２ａが設けてある。なお、同図（Ｂ）に示すように、フィルム７０２は基材シート２ｂ、剥離層２ｃ、透明受像層２ｄの３層構造になっており、後述する再転写後の剥離工程において、剥離層２ｃと基材シート２ａが透明受像層２ｂから剥離されるように構成されている。
【０００５】
また、図９に示すように、インクリボン７０３にはイエロー・マゼンタ・シアンの３色（またはブラックを加えた４色）の染料が面順次に塗布されており、これらの色を頭出しするためのマーク３ａが設けてある。
【０００６】
次に従来の昇華型カードプリンタの動作の説明をする。図示しないホストコンピュータの出力司令によりプリンタはプラテンローラ７０１を回転させてフィルム７０２のフレーム頭出しを行うと共に、インクリボン７０３の巻き取りロール７６０を駆動させてイエローの頭出しを行う。
【０００７】
次にサーマルヘッド７０４をプラテンローラ７０１側に圧着しプラテンローラ７０１を時計方向に回転させながら記録を行う。第１色目（イエロー）の記録が終了したらサーマルヘッド７０４をプラテンローラ７０１より離間させプラテンローラ７０１を反時計方向に回転させて、フィルム７０２は第１色目の頭出しと同じ位置に停止させる。以降、第１色目と同じ動作を繰り返してマゼンタ・シアンについての転写を行いカラー画像を形成する。これら記録動作中はフィルムロールの供給側及び巻き取り側の図示しない駆動部を制御してフィルム７０２に適度のテンションを与えながらフィルム７０２の搬送を行う。
【０００８】
フィルム７０２への記録が終了するとプラテンローラ７０１を時計方向に回転させると共にフィルム７０２をフィルム巻き取りロール７４０側へ搬送し、ヒートローラ７２１手前でフレームの頭出しを行いカードホッパー７２３より供給されたカード７０５の転写面と位置合わせをしてヒートローラ７２１と加圧ローラ７２２に挟み、押圧及び加熱して透明受像層をカード７０５に再転写する。再転写の温度は、カードの材質にもよるが通常１６０℃〜２００℃で、カードの表面が軟化する程度の熱エネルギーが加えられる。
【０００９】
熱圧着されたフィルム７０２とカード７０５とは、両者を充分冷却してから（軟化点以下になってから）剥離される（このような剥離を冷時剥離と称す）。フィルム７０２とカード７０５の温度が高い状態で剥離すると、カードの両端面のフィルムが剥離せず、残ってしまうからである。
【００１０】
このような冷時剥離を実現する技術は、例えば、下記特許文献１に開示されている。図１０は、同公報による再転写部７２０における冷時剥離を実現するための機構の詳細を示す図である。
【００１１】
同図に示すように、ヒートローラ７２１の前後には、フィルムガイド１００１と１００２とが配され、ヒートローラ７２１によりフィルム７０２とカード７０５とが熱圧着された後、カード７０５が所定時間搬送される間、フィルム７０２とカード７０５との圧着状態を保つため、カード７０５の搬送路とフィルム７０２が張架された位置とが一定区間（区間Ａ）、重畳するように再転写部が構成されている。かかる構成により、フィルムは充分冷却されてから（つまり、カードがフィルムガイド１００２の位置まで搬送されてから）、上方向に巻き上げられカードと剥離されることとなる。なお、区間Ａの下側には、フィルム７０２とカード７０５との圧着状態をより安定させるために、ガイド１００３が配されている。
【００１２】
【特許文献１】
特開２０００−１４１７２７号公報
【００１３】
【発明が解決しようとする課題】
しかしながら、上記従来例に記載した再転写部を有する装置によれば、再転写動作なしでカードを搬送しようとすると、フィルムがカードとともに搬送されてしまいジャムを起こしてしまうという問題があった。
【００１４】
図１１を用いてかかる問題について説明する。同図に示すように、再転写動作を行わない場合、ヒートローラ７２１は上昇位置にあるため、フィルム７０２はヒートローラ７２１によって押圧および加熱されることはないが、フィルムガイド１００１とフィルムガイド１００２との間では、カード７０５の搬送路とフィルム７０２が張架された位置（フィルムの巻き取り経路）とが重畳しているため、フィルム７０２とカード７０５とが接触し、フィルム７０２がカードとともに搬送されてしまう。
【００１５】
このように、冷時剥離を実現する再転写部を有する装置の場合、再転写動作を行わずに、カードを安定に搬送することが困難であった。
【００１６】
本発明は、上記課題に鑑みてなされたものであり、再転写動作時には正常に冷時剥離することが可能であり、かつ再転写動作なしで記録媒体を搬送する場合には、安定して搬送を行うことが可能な再転写印刷装置を提供することを目的とするものである。
【００１７】
【課題を解決するための手段】
上記の目的を達成するために本発明に係る再転写印刷装置は以下のような構成を備える。即ち、
画像が転写されたフィルムを、搬送される記録媒体に対してヒートローラで加熱しながら押圧することで、該記録媒体にフィルム上の画像を再転写する再転写印刷装置であって、
前記ヒートローラに対して、前記記録媒体の搬送方向出側に配され、前記記録媒体の表裏面を挟持して搬送する一対のローラと、
前記記録媒体の搬送路に対して、前記ヒートローラが配された側に位置し、前記フィルムを巻き取る巻取手段と、を備え、
前記フィルムは、前記ヒートローラと前記搬送路との間を通り、かつ前記一対のローラのうち該搬送路に対して前記ヒートローラが配された側に位置するローラと前記ヒートローラとの間を通るよう張架されており、
再転写する場合には、前記フィルムは、前記ヒートローラにより前記記録媒体に加熱しながら押圧された後、該記録媒体に圧着した状態で搬送され、前記一対のローラにより挟持された後、所定の位置において前記巻取手段によりが巻き取りが開始されることで前記記録媒体から冷時剥離されると、折り返されて前記一対のローラの間を通って該巻取手段に巻き取られることを特徴とする。
【００１８】
【発明の実施の形態】
以下、本発明の好適な実施の形態について図面を参照して説明する。
【００１９】
【第１の実施形態】
図１乃至図６は、図７を参照して説明した従来の再転写印刷装置の再転写部７２０とその周辺の構成のみを示した図である。その他の構成は従来の再転写印刷装置と同様であるので説明を省略する。
【００２０】
＜再転写部＞
図１において、１０１は不図示のモータに接続されたヒートローラであり、加熱された状態で、加圧ローラ１０２の方向に押圧する。これにより、ヒートローラと加圧ローラの間に矢印方向（図中の「搬送方向」の上に記載された矢印の方向）に搬送されたカード１００に画像が転写されたフィルムが熱圧着し、再転写される。１０３はカード位置検出センサであり、搬送方向入口側におけるカード１００の進入を検出する。
【００２１】
１０４は入口側搬送ローラであり、カードの表裏面を上下から１対のローラにより挟みこんで搬送する。図２は、入口側搬送ローラ１０４の斜視図であり、１０４−１は入口側搬送ローラ（上側）、１０４−２は不図示のモータに接続された入口側搬送ローラ（下側）をそれぞれ示す。
【００２２】
入口側搬送ローラ（上側）１０４−１および入口側搬送ローラ（下側）１０４−２は、カード搬送時にカード表面を傷つけることがないよう、カードの端部を上下から挟みこんで搬送する。
【００２３】
図１に戻る。１０５は出口側搬送ローラであり、入口側搬送ローラ１０４と同様、カードの表裏面を上下から１対のローラにより挟みこんで搬送する。図３は、出口側搬送ローラ１０５の斜視図であり、１０５−１は出口側搬送ローラ（上側）、１０５−２は不図示のモータに接続された出口側搬送ローラ（下側）をそれぞれ示す。
【００２４】
出口側搬送ローラ（下側）１０５−２は、カード搬送時にカード表面を傷つけることがないようカードの端部のみ接するような構造を有している一方、出口側搬送ローラ（上側）は、熱圧着したフィルムの圧着状態を安定に保つため、フィルムの幅よりも大きい幅を有している（Ｗ１＞フィルム幅）。
【００２５】
再び図１に戻る。１０６はフィルムガイドであり、フィルム剥離時にフィルムの剥離方向がカード表面に対して鋭角となるような位置に配されている（つまり、剥離されたフィルムをフィルム巻き取る際の巻き取り経路を決定している）。
【００２６】
１０７はフィルム巻き取りタイミングセンサであり、冷時剥離を実現するためには、表面にフィルムが熱圧着されたカードが所定の位置にくるまで巻き取り動作を待機しておく必要があるため、巻き取り動作の開始を決定するために設けられたセンサであり、カード１００が冷時剥離可能位置に到達したか否かを検出する。１０８はフィルム巻き取りローラであり、不図示のモータと接続され、不図示の制御部より巻き取り開始指令を受信すると、フィルムの巻き取りを開始する。
【００２７】
上記のような再転写部及びその周辺の構成を有する再転写印刷装置において、入口側搬送ローラ１０４と出口側搬送ローラ１０５の間隔（ローラピッチＬ２）は、カード１００を安定搬送すべく、カード長よりも短く設計されている。
【００２８】
また、図１より明らかなように出口側搬送ローラ１０５は、ヒートローラ１０１に対して、カード１００の搬送方向出側に配されている。また、フィルム巻き取りローラ１０８は、カードが搬送される搬送路に対して、ヒートローラ１０１が配された側に位置している。
【００２９】
さらに、フィルムはヒートローラ１０１と搬送路との間を通り、かつ搬送路に対してヒートローラ１０１が配された側に位置する出口側搬送ローラのうちの一方のローラ（つまり出口側搬送ローラ（上側）１０５−１）とヒートローラ１０１との間を通るよう張架されている。
【００３０】
＜再転写処理を行う場合＞
図４Ａ及び図４Ｂを用いて本発明の一実施形態にかかる再転写印刷装置において再転写処理を行う場合の各部の動作について説明する。なお説明にあたっては、図５のタイムチャートもあわせて参照することとする。
【００３１】
図４Ａの（ａ）は、再転写されるカード１００が再転写部に進入してきた状態を示している。カード位置検出センサ１０３がＯＮすると、入口側搬送ローラ（下側）１０４−２が正転動作を開始するとともに、出口側搬送ローラ（下側）１０５−２がそれぞれ正転動作を開始する（図５の５０１乃至５０３）。
【００３２】
図４Ａの（ｂ）は、カード１００の先端部が熱圧着位置まで搬送された状態を示している。このとき、すでにカードは入口側搬送ローラ１０４を通過していため、入口側搬送ローラ（上側）１０４−１も正転動作をしている。
【００３３】
また、カードの先端部は、カード位置検出センサ１０３がＯＮしてから、所定時間経過後に熱圧着位置に到達する。このため、カード位置検出センサ１０３がＯＮしてからタイマーが稼働し、所定時間をカウントしたらヒートローラ１０１は下降動作及び正転動作を開始する（図５の５０４乃至５０５）。
【００３４】
図４Ａの（ｃ）は、ヒートローラ１０１がフィルムを加熱しながらカード１００に押圧している状態を示している。
【００３５】
図４Ａの（ｄ）は、フィルムが熱圧着されたカード１００がさらに搬送された状態を示している。カード１００の先端部から熱圧着位置までの間は、フィルムがカードに熱圧着されているため、フィルムはカード１００と共に搬送される。
【００３６】
図４Ｂの（ｅ）は、フィルムが熱圧着されたカード１００が、出口側搬送ローラ１０５に到達した様子を示している。カードが出口側搬送ローラ１０５に到達することで、出口側搬送ローラ（上側）１０５−１も正転動作を開始する（図５の５０６）。カードの先端部から熱圧着位置までの間は、フィルムがカードに熱圧着されているため、フィルムはカードとともに搬送されるが、フィルムのうちカード先端部よりフィルム巻き取りローラ１０８側の部分は、カードに熱圧着されていないため、カード先端部から折り返された状態で、出口側搬送ローラ（上側）１０５−１の下を通って、フィルムガイド１０６を介してフィルム巻き取りローラ１０８に至る。
【００３７】
図４Ｂの（ｆ）は、フィルムが熱圧着されたカードが、剥離可能点Ｈに到達した状態を示す図である。剥離可能点とは、熱圧着されたフィルムの温度が充分低下し、冷時剥離が可能な位置をいう。
【００３８】
剥離可能点Ｈには、フィルム巻き取りタイミングセンサ１０７がＯＮ（図５の５０７）してから所定時間後に、カードの先端部が到達する。
【００３９】
剥離可能点Ｈに到達すると、フィルム巻き取りローラ１０８が正転動作を開始し（図５の５０８）、フィルムの巻き取りを開始する。フィルムの巻き取りが開始されると、それに伴って、フィルムガイド１０６も回転する。
【００４０】
また、それまでカードの搬送に伴って、正転方向に回転していた出口側搬送ローラ（上側）１０５−１は、フィルムの巻き取りが開始されることで、フィルムの巻き取り方向（すなわち、逆転方向）に回転し始める（図５の５０９、５１０）。
【００４１】
なお、フィルム巻き取りローラ１０８の巻き取り速度は、カードの搬送速度と同期しているものとする（図４Ｂの（ｇ）参照）。
【００４２】
図４Ｂの（ｇ）は、フィルム巻き取りローラ１０８の巻き取り速度が、カードの搬送速度と同期することで、実際にフィルムがカードから剥離する位置（剥離点）が一定範囲内になることを示す図である。
【００４３】
カードの搬送速度に対して、フィルムの巻き取り速度が速い場合、剥離点が搬送方向の上流側に移動していく。また、カードの搬送速度に対して、フィルムの巻き取り速度が遅い場合には、剥離点が搬送方向の下流側に移動していく。
【００４４】
フィルムおよびカードは充分冷却する必要があるため、剥離点は、剥離可能点よりも下流側に位置する必要があり、かつ、所定の範囲（剥離点変動範囲Ｄ）に入っていることが望ましい。このため、フィルムの巻き取り速度はカードの搬送速度と同期させる必要があるわけである。
【００４５】
図４Ｂの（ｈ）は、カード１００からフィルムが完全に剥離され、カードが搬出される様子を示す図である。カード１００の後端部がフィルム巻き取りタイミングセンサ１０７を通過し、同センサがＯＦＦすると（図５の５１１）、カードは再転写部を通過したものと認識し、入口側搬送ローラ（下側）１０４−２、ヒートローラ１０１、および出口側搬送ローラ（下側）１０５−２はそれぞれ動作を停止する（図５の５１２、５１３、５１４）。また、カード後端部がフィルム巻き取りタイミングセンサ１０７を通過後、ヒートローラは上昇し、元の位置に戻る（図５の５１５）。
【００４６】
一方、カード後端部が剥離点通過後も、フィルム巻き取りローラ１０８の回転動作は継続されフィルムが巻き取られるため、出口側搬送ローラ（上側）１０５−１およびフィルムガイド１０６はフィルムの巻き取り方向に回転を継続する。
【００４７】
フィルムの巻き取り動作が完了すると、フィルム巻き取りローラ１０８が停止し、出口側搬送ローラ（上側）１０５−１およびフィルムガイド１０６の回転も停止する（図５の５１６、５１７）。この結果、図４の（ａ）の状態に戻る。
【００４８】
このように、本発明の一実施形態にかかる再転写印刷装置の再転写部は、再転写部を構成する各部（ヒートローラ、入口側搬送ローラ、出口側搬送ローラ、フィルムガイド、フィルム巻き取りローラ等）が上述のような、または図示したような配置を有しており、かつ再転写後にカードが所定の位置（剥離可能点）まで搬送されてから、フィルム巻き取りローラ１０８がフィルムの巻き取りを開始することを特徴とする。このよう動作により、再転写時の冷時剥離を実現する。
【００４９】
＜再転写を行わない場合＞
図６を用いて本発明の一実施形態にかかる再転写印刷装置において、再転写を行わない場合の各部の動作について説明する。
【００５０】
図６（ａ）より明らかなように、本発明の一実施形態にかかる再転写印刷装置の再転写部によれば、ヒートローラ１０１が上昇位置にある状態では、フィルムは、入口側搬送ローラ（上側）１０４−１の上側およびフィルムガイド１０６の上側であって、ヒートローラ１０１の下側を通り、フィルム巻き取りローラ１０８に張架されている。つまり、フィルムが張架されている位置とカードの搬送路とは、完全に分離されている。このため、再転写することなく、カードを搬送する場合でも、従来のようにカードとフィルムが接触することはなく、ジャムを起こすこともない。
【００５１】
カード１００が進入し、カード位置検出センサ１０３をＯＮすると、入口側搬送ローラ（下側）１０４−２および出口側搬送ローラ（下側）１０５−２が正転動作を開始する。
【００５２】
図６（ｂ）はヒートローラ１０１の真下をカードが通過中の状態を示す図である。再転写を行わない場合には、フィルムはカード１００に押圧されず、カード１００はフィルムと接触することなく搬送可能である。また、図６（ｃ）はカードがヒートローラ１０１の真下を通過した状態を示す図である。この後、カードの後端部がフィルム巻き取りタイミングセンサ１０７を通過し、同センサがＯＦＦすると、カードが再転写部を通過したものと認識し、入口側搬送ローラ（下側）１０４−２および出口側搬送ローラ（下側）１０５−２は正転動作を停止する。
【００５３】
以上の説明から明らかなように、本実施形態によれば、再転写動作時には正常に冷時剥離することが可能であり、かつ再転写動作なしでカードを搬送する場合には、カードとフィルムとが接することなく安定してカード搬送を行うことが可能となる。
【００５４】
なお、本願の目的を達成するためには、例えば、従来の再転写印刷装置（図１０参照）において、フィルムガイド１００１、１００２に昇降機構を付加し、ヒートローラの上下動作と連動して上下するようにしてもよいが（つまり、再転写動作時に下降し、再転写動作を行わない場合には上昇するようにしてもよいが）、この場合には、新たな昇降機構を備える必要があり、コスト高となってしまう。つまり、本実施形態にかかる再転写印刷装置は、従来の再転写印刷装置に対して改造箇所を最小限に抑え、本願の目的を安価に実現できるというメリットがある。
【００５５】
【第２の実施形態】
上記第１の実施形態では、フィルム巻き取りタイミングセンサ１０７を設置して、カード先端部およびカード後端部の通過を検知する構成としたがこれに限られない。カード位置検出センサ１０３で代用してもよい。つまり、カード位置検出センサ１０３のＯＮまたはＯＦＦ後タイマー設定するようにしてもよい。また、カード位置検出センサ１０３およびフィルム巻き取りタイミングセンサ１０７の設置位置は、特に上記第１の実施形態に示したものに限るものではない。
【００５６】
また、上記第１の実施形態では、フィルムガイド１０６を設置する構成としたが、本願発明の目的は、フィルムガイド１０６がなくても達成可能である。上記第１の実施形態において、フィルムガイド１０６の役割は、フィルムをカードから剥離する場合に、カードの搬送方向に対して、鋭角的にフィルムを引っ張るためにある。
【００５７】
つまり、フィルム巻き取りローラ１０８によりフィルムを巻き取る際に、フィルムガイド１０６がないと、出口側搬送ローラ（上側）１０５−１の外周に沿ってフィルムが引っ張られることとなる。フィルムの引っ張り方向は、カードの搬送方向に対して、鋭角的に行うほうがフィルムを安定的に剥離させることができることが実験的にわかっている。
【００５８】
そこで、上記第１の実施形態では、所定の鋭角的角度を保持するためにフィルムガイド１０６を設置し、引っ張り方向（フィルムの巻き取り経路）を調整することとしたが、フィルムガイド１０６がなくても、剥離は可能である。
【００５９】
また、入口側搬送ローラ（下側）１０４−２および出口側搬送ローラ（下側）１０５−２ならびにヒートローラ１０１の回転開始、停止タイミングは上記第１の実施形態に限定するものではない。円滑なカード搬送が実現できるものであればなんでもよい。
【００６０】
さらに、ヒートローラ１０１の上昇タイミングも上記第１の実施形態に限定するものではない。
【００６１】
また、上記第１の実施形態では、入口側搬送ローラ（下側）１０４−２、出口側搬送ローラ（下側）１０５−２、ヒートローラ１０１及びフィルム巻き取りローラにモータを接続し駆動させるようにしたが、これに限らず、更に他の部分（加圧ローラ１０２、フィルムガイド１０６等）にもモータを接続し、駆動可能に制御してもよい。
【００６２】
【発明の効果】
以上説明したように本発明によれば、再転写動作時には正常に冷時剥離をすることが可能であり、かつ再転写動作なしで記録媒体を搬送する場合には、安定して搬送を行うことが可能となる。
【符号の説明】
１０１      ヒートローラ
１０２      加圧ローラ
１０３      カード位置検出センサ
１０４      入口側搬送ローラ
１０４−１  入口側搬送ローラ（上側）
１０４−２  入口側搬送ローラ（下側）
１０５      出口側搬送ローラ
１０５−１  出口側搬送ローラ（上側）
１０５−２  出口側搬送ローラ（下側）
１０６      フィルムガイド
１０７      フィルム巻き取りタイミングセンサ
１０８      フィルム巻き取りローラ
【図面の簡単な説明】
【図１】本発明の実施形態にかかる再転写印刷装置の再転写部及びその周辺の構成を示す図である。
【図２】本発明の実施形態にかかる再転写印刷装置の再転写部を構成する入口側搬送ローラの斜視図である。
【図３】本発明の実施形態にかかる再転写印刷装置の再転写部を構成する出口側搬送ローラの斜視図である。
【図４Ａ】本発明の実施形態にかかる再転写印刷装置において再転写処理を行う場合の各部の動作について説明する図である。
【図４Ｂ】本発明の実施形態にかかる再転写印刷装置において再転写処理を行う場合の各部の動作について説明する図である。
【図５】本発明の実施形態にかかる再転写印刷装置において再転写処理を行う場合の各部の動作タイミングを示す図である。
【図６】本発明の実施形態にかかる再転写印刷装置において、再転写処理を行わない場合の各部の動作について説明する図である。
【図７】従来の昇華型プリンタの概略構成を示す図である。
【図８】フィルムの構成を示す平面図および拡大断面図である。
【図９】インクリボンの構成を示す平面図である。
【図１０】従来の再転写部の機構の詳細を示す図である。
【図１１】従来の再転写部の機構の詳細を示す図である。
【図１】
2004174945.tif 000003
【図２】
2004174945.tif 000004
【図３】
2004174945.tif 000005
【図４Ａ】
2004174945.tif 000006
【図４Ｂ】
2004174945.tif 000007
【図５】
2004174945.tif 000008
【図６】
2004174945.tif 000009
【図７】
2004174945.tif 000010
【図８】
2004174945.tif 000011
【図９】
2004174945.tif 000012
【図１０】
2004174945.tif 000013
【図１１】
2004174945.tif 000014